(57)【要約】【課題】手軽で簡易な構造でありながら、より快適で多様なマッサージを行うようにする。【解決手段】中央が後方向に凸な曲線形状をした弾性部材２の内側及び下方向に４つの指圧子３を各々突出させ、弾性部材２の中央内側に人体Ｍの首Ｎがくるようにして掛けた際、人体Ｍの左右の肩Ｓが前後の各指圧子３の間に各々くるようにする。【選択図】図４
2016221201.tif 000002
【特許請求の範囲】
【請求項１】
中央が後方向に凸な曲線形状をした弾性部材の前方向の左右両先端に把持部を各々設け、前記弾性部材において指圧子を前後方向に相互間隔をおくと共に左右方向においては対称をなして４つ設けており、４つの前記指圧子を前記弾性部材の内側及び下方向に各々突出させ、前記弾性部材の中央内側に人体の首がくるようにして掛けた際、人体の左右の肩が前後の各前記指圧子の間に各々くるように構成したことを特徴とするマッサージ器。
【請求項２】
４つの前記指圧子のうち前記弾性部材における前側の２つまたは後側の２つ或は全てが前記弾性部材から各々突設する支持軸によって各々支持されると共に各々回転することを特徴とする請求項１記載のマッサージ器。
【請求項３】
各前記把持部を互いに当接させた際、平面視において各前記把持部が略平行になるようにしたことを特徴とする請求項１ないし請求項２のいずれか１項に記載のマッサージ器。
【発明の詳細な説明】
【技術分野】
【０００１】  本発明は簡易な構造で手軽に人体をマッサージするマッサージ器に関する。
【背景技術】
【０００２】  この種のマッサージ器として、曲線形状にした弾性部材の内側に指圧子を４つ設け、この指圧子間に人体部位を挿入して把持部となる弾性部材の両端を両手で持って開閉するようにして指圧するものが存在し、特に２つの指圧子が１組となって９０度ずつこれを回転させて人体部位に応じて指圧子の位置を変えられるようにしたものがある（特許文献１の図２、図７〜図９を参照）。指圧子の材質としてはゴムや軟質樹脂などの弾性部材を使用している（特許文献１の明細書段落番号［００１３］を参照）。【０００３】  しかし、４つの指圧子によって人体の左右の肩を各々上から掴むような指圧をしたり、肩を掴んだ状態から弾性部材を開閉して掴み揉みを行ったりすることはできなかった。【０００４】  加えて、指圧子が弾性部材であっても力の入れ方によっては人体に過度の痛みを与えてしまい、快適さが損なわれてしまうことも懸念されていた。【０００５】  また、この種のマッサージ器は、両手で持って使用するものであり、片手で持ってより手軽に使用することは意図されていない。
【先行技術文献】
【特許文献】
【０００６】
【特許文献１】特開２００８−３６１８４号公報
【発明の概要】
【発明が解決しようとする課題】
【０００７】  解決しようとする主な課題は、手軽で簡易な構造でありながら、より快適で多様なマッサージを行うようにすることである。
【課題を解決するための手段】
【０００８】  本発明のマッサージ器は、中央が後方向に凸な曲線形状をした弾性部材の前方向の左右両先端に把持部を各々設け、前記弾性部材において指圧子を前後方向に相互間隔をおくと共に左右方向においては対称をなして４つ設けており、４つの前記指圧子を前記弾性部材の内側及び下方向に各々突出させ、前記弾性部材の中央内側に人体の首がくるようにして掛けた際、人体の左右の肩が前後の各前記指圧子の間に各々くるように構成したことを最も主要な特徴とする。【０００９】  また、本発明のマッサージ器は、４つの前記指圧子のうち前記弾性部材における前側の２つまたは後側の２つ或は全てが前記弾性部材から各々突設する支持軸によって各々支持されると共に各々回転することを特徴とする。【００１０】  さらに、本発明のマッサージ器は、各前記把持部を互いに当接させた際、平面視において各前記把持部が略平行になるようにしたことを特徴とする。
【発明の効果】
【００１１】  本発明のマッサージ器は、４つの前記指圧子を前記弾性部材の内側及び下方向に各々突出させ、前記弾性部材の中央内側に人体の首がくるようにして掛けた際、人体の左右の肩が前後の各前記指圧子の間に各々くるように構成したため、従来のものとは異なり、前記弾性部材を開閉した際に首を指圧するだけでなく、各前記把持部を両手で持って下方に引いた時に人体の左右の肩が前後の各前記指圧子の間に入って両肩を同時に上から掴むような指圧をしたり、または肩を掴んだ状態から前記弾性部材を開閉することで掴み揉みを行ったりすることができるので、手軽で簡易な構造でありながら、より快適で多様なマッサージを行うことができる。【００１２】  また、前記指圧子が回転できるようにするならば、従来のものとは異なり、指圧の際に生じるかもしれない過度の痛みを緩和することができるので、安心のうちに快適なマッサージを行うことが可能となるし、ローリングマッサージも行えるようになる。【００１３】  さらに、各前記把持部を互いに当接させた際、平面視において各前記把持部が略平行になるようにすれば、従来とは異なり、片手で持って一層手軽に使用することができ、人体の肩の片側を集中的に指圧したり、人体部位を叩いたり撫でたりするなどして多様なマッサージが行える。
【図面の簡単な説明】
【００１４】
【図１】本発明の一実施形態による正面図である。
【図２】本発明の一実施形態による平面図である。
【図３】本発明の一実施形態による右側面図である。
【図４】本発明の一実施形態による使用状態を示す右側面図である。
【図５】本発明の一実施形態による弾性部材の開閉を示す平面図である。
【図６】本発明の一実施形態による把持部を互いに合わせた状態を示す平面図である。
【図７】本発明の一実施形態による使用状態を示す参考図である。
【図８】本発明の一実施形態による使用状態を示す参考図である。
【発明を実施するための形態】
【００１５】  以下に、本発明のマッサージ器を図面に基づき詳細に説明する。
【００１６】  本発明のマッサージ器１は図１〜図３に示したように、中央が後方向に凸な曲線形状をした弾性部材２と、前記弾性部材２の前方向の左右両先端に各々設けた把持部２１と、４つの指圧子３とで基本的に構成している。
【００１７】  前記弾性部材２は弾性材料で形成されており、例えばゴムや樹脂、金属や木材など、弾性のある材料であればどれでもよい。
【００１８】  各前記把持部２１は、前記弾性部材２から延長形成しているが、他の部品として前記弾性部材２に接続したものでもよい。
【００１９】  各前記指圧子３は、図２に示すように前記弾性部材２から各々突設する支持軸２２によって各々支持されている。すなわち各前記支持軸２２に、貫通孔を中心に形成した円筒形状の中具３２を各々挿入し、各前記支持軸２２の先端を留め具３３で各々留めている。
【００２０】  各前記中具３２の上から玉形状の被せ材３１を各々被せている。各前記被せ材３１はゴムや樹脂などの弾性材料や、または非弾性材料のものなど、適宜使用できる。
【００２１】  また各前記指圧子３は、図２及び図３に示すように前記弾性部材２において前後方向に相互間隔をおくと共に左右方向においては対称をなすように設けており、さらに４つの前記指圧子３は前記弾性部材２の内側及び下方向に各々突出させている。そのため、図４及び図５に示すように、前記弾性部材２の中央内側に人体Ｍの首Ｎがくるようにしてマッサージ器１を掛けた際、人体Ｍの左右の肩Ｓが前後の各前記指圧子３の間に各々くるようになる。よって、各前記把持部２１を両手で持って下方に引いた時に人体Ｍの左右の肩Ｓが前後の各前記指圧子３の間に入って両肩Ｓを同時に上から掴むような指圧をしたり、または肩Ｓを掴んだ状態から前記弾性部材２を開閉することで掴み揉みを行ったりすることができるので、手軽で簡易な構造でありながら、より快適で多様なマッサージを行うことができるのである。尚、図５及び図７に示すように、肩Ｓだけでなく首Ｎもマッサージすることができる。
【００２２】    さらに本発明のマッサージ器１として、４つの前記指圧子３のうち前記弾性部材２における前側の２つまたは後側の２つ或は全てが、各前記支持軸２２を軸として各々回転させてもよい。すなわち前記支持軸２２を軸として前記中具３２を回転させるようにすることができる。このように構成すれば、指圧の際に生じるかもしれない過度の痛みを緩和できるので、安心のうちに快適なマッサージを行うことが可能となるし、加えて肩Ｓや首Ｎに対してローリングマッサージも行える。
【００２３】  各前記支持軸２２の中心軸を延長した仮想線を中心軸延長線Ｌとして図２に各々示しているが、平面視において各中心軸延長線Ｌは互いに平行ではなく一定の相対角度Ａを各々つけている。４つの前記指圧子３が回転するよう構成した場合、図５に示すように前記弾性部材２を開状態から閉状態にする時に、前後の各前記指圧子３の間にある各々の肩Ｓの皮膚を寄せながらローリングすることになり、多様なマッサージが実現できるのである。尚、前記相対角度Ａは１〜１７９度の範囲で設定することが望ましい。
【００２４】  また、本発明のマッサージ器１として、図６に示すように各前記把持部２１を互いに当接させた際、平面視において各前記把持部２１が略平行になるようにすれば、片手で持てるようになって一層手軽に使用できる。例えば、人体Ｍの肩Ｓの片側を集中的に指圧したり、図８に示すように人体Ｍ部位を叩いたり撫でたりするなどして多様なマッサージが行えるのである。さらに４つの前記指圧子３が回転するよう構成した場合はローリングマッサージも行える。
【００２５】  さらに、各前記把持部２１を互いに合わせた際に上下方向において相互にずれにくくするために、前記弾性部材２における各前記把持部２１付近または各前記把持部２１が、上下方向において互いに重なる部分である重合部２３を設けることができる。また、前記重合部２３を図６に示すように前後に２か所設け、一例として後側の前記重合部２３では右側の前記把持部２１が上にくるようにし、且つ前側の前記重合部２３では左側の前記把持部２１が上にくるようにすれば、当接させた各前記把持部２１をしっかりと噛合させて安定して持つことができる。
【符号の説明】
【００２６】    １  マッサージ器
２  弾性部材
２１  把持部
２２  支持軸
２３  重合部
３  指圧子
３１  被せ材
３２  中具
３３  留め具
Ｍ  人体
Ｎ  首
Ｓ  肩
Ｌ  中心軸延長線
Ａ  相対角度
【図１】
2016221201.tif 000003
【図２】
2016221201.tif 000004
【図３】
2016221201.tif 000005
【図４】
2016221201.tif 000006
【図５】
2016221201.tif 000007
【図６】
2016221201.tif 000008
【図７】
2016221201.tif 000009
【図８】
2016221201.tif 000010